(57)【要約】【課題】鋳造に際し溶湯の通過を妨げることなく溶湯に含まれる異物を確実に除去してノロかみ、砂かみを有効に防止可能としたストレーナーを提供すること。【解決手段】湯口に注湯された溶湯が通過可能な多数個の小孔３を有する多孔質のストレーナー本体２と、ストレーナー本体２の上面に配置されて小孔３の上部開口を閉鎖した、溶湯から発せられる熱気により溶湯に接する前に容易に燃焼可能な易燃性素材により形成された薄膜状のカバー材４を具備しており、湯口に溶湯が注がれた際に、カバー材が、溶湯に接する前に溶湯から発せられる熱によって、カバー材の上部に落下した砂、ノロ等の異物を巻き込んで燃え上がって燃えカスになった後に、溶湯がストレーナーに到達してストレーナーの上方側が溶湯で満たされていく過程で溶湯の上面に浮き上がっていくことで、溶湯が異物とともにストレーナーを通過してしまうことを防止できる。【選択図】図１
0003184414.tif 000002
【実用新案登録請求の範囲】
【請求項１】
鋳物製品の鋳造に際して溶湯を注ぎ込む湯口の下方に配置されて、異物が溶湯とともに湯道に入り込んでノロかみ、砂かみが発生することを防止する鋳造用異物除去ストレーナーであって、
湯口に注ぎ込まれた溶湯が通過可能な多数個の小孔（３）を有する多孔質のストレーナー本体（２）と、
該ストレーナー本体（２）の上面に配置されて前記小孔（３）の上部開口を閉鎖した、溶湯から発せられる熱気により溶湯に接する前に容易に燃焼可能な易燃性素材により形成された薄膜状のカバー材（４）と、を具備したことを特徴とする鋳造用異物除去ストレーナー。
【請求項２】
前記カバー材（４）が薄い紙製であることを特徴とする請求項１に記載の鋳造用異物除去ストレーナー。
【請求項３】
前記カバー材（４）が薄い布製であることを特徴とする請求項１に記載の鋳造用異物除去ストレーナー。
【考案の詳細な説明】
【技術分野】
【０００１】
本考案は、鋳物の製造に際して砂、ノロ等の異物が湯道に入り込むことを防止するための鋳造用異物除去ストレーナーに係り、より詳しくは、砂、ノロ等の異物を確実に除去して砂かみ、ノロかみを防止するとともに、溶湯を早く注湯することを可能にした鋳造用異物除去ストレーナーに関する。
【背景技術】
【０００２】
周知の通り、鋳造は、金属を溶解した溶湯を砂型等の型に充填して冷却し固化させることで所望の形状の鋳物製品を製造する方法であるが、この鋳造に際しては、溶湯に砂、ノロ等の異物が混入すると、砂かみ、ノロかみが発生して製品の内部欠陥の要因となり強度や歩留まりの低下等をもたらすために、溶湯の清浄度を上げることが重要であり、そのためには、湯口から溶湯を流し込んで注湯する際には、溶湯が異物を巻き込まないように、静かに行うことが好ましい。
【０００３】
しかし、鋳物製品の鋳造において、溶湯を湯口から流し込む際には、静かに注湯することが必要であるとともに、出来るだけ早く注湯することが重要であるために、溶湯に砂、ノロ等の異物が混入することを防止するために静かに溶湯を注湯するのみでは、鋳造欠陥のない鋳物を製造することは困難である。
【０００４】
そこで、従来から、鋳造の際に溶湯に砂、ノロ等の異物が混入することを防止するために、湯口の下方側にストレーナーを配置することが行われている。
【０００５】
ここで、従来から用いられているストレーナーについて説明すると、一般的に従来のストレーナーは、セラミックス、焼き物等により構成されており、湯口の下方において湯口の下方を閉鎖可能な扁平な円形、角形等とされ、溶湯を通過可能な多数個の小孔が形成されている。
【０００６】
そして、このように構成されるストレーナーは、鋳造に際して湯口の下方に湯口の下方を閉鎖する配置で取り付けられる。そうすると、湯口より溶湯を流し込んで注湯すると、溶湯はストレーナーの小孔を通過して湯口の下方へ落下していくとともに、溶湯が小孔を通過する過程で、小孔より小さい砂、ノロ等の異物は小孔内に留まり、それにより、砂、ノロ等の異物が溶湯とともに湯道に入り込んでしまうことを防止することが可能である。即ち、ストレーナーは、溶湯を通過させる過程で、砂、ノロ等の異物を補足する機能を有する。
【先行技術文献】
【特許文献】
【０００７】
【特許文献１】特開２００４−２９８９５０号公報
【特許文献２】特開２００２−１９２３３４号公報
【特許文献３】特開２００２−１２００６１号公報
【特許文献４】特開２００１−３４７３６４号公報
【特許文献５】特開平５−２３８３５号公報
【考案の概要】
【考案が解決しようとする課題】
【０００８】
ところで、ストレーナーは、前述のように溶湯を通過させながら溶湯の中に含まれている砂、ノロ等の異物を通過させずに捕捉することで溶湯から異物を除去するが、このとき、出来るだけ確実に異物を除去するためには、小孔をできるだけ小さくすることが好ましい。
【０００９】
しかしその一方、前述したように、鋳造に際して溶湯を注湯する際には、静かに行うとともにできるだけ早く行うことが要求されるところ、小孔を小さくし過ぎると、溶湯を早く注湯することができず、それにより、製品の鋳造欠陥を招いてしまうおそれが考えられる。
【００１０】
この点、近年になり、前述の小孔を直線的に形成した従来のストレーナーと異なり、セラミック等により形成した多孔質のフィルターが提供されており、この多孔質フィルターによれば、小孔を直線的に形成したストレーナーに比較すると、より効率的に、異物を除去して砂かみ、ノロかみを少なくすることが可能であるが、この場合でも、砂、ノロ等の異物を完全に除去することは困難であり、従って、砂かみ、ノロかみを完全に無くすることは困難である。
【００１１】
そこで、本考案は、鋳造に際して、溶湯の通過を妨げることなく溶湯に含まれる異物を確実に除去してノロかみ、砂かみを有効に防止可能とした鋳造用異物除去ストレーナーを提供することを課題としている。
【課題を解決するための手段】
【００１２】
本考案の鋳造用異物除去ストレーナーは、
鋳物製品の鋳造に際して溶湯を注ぎ込む湯口の下方に配置されて、異物が溶湯とともに湯道に入り込んでノロかみ、砂かみが発生することを防止する鋳造用異物除去ストレーナーであって、
湯口に注ぎ込まれた溶湯が通過可能な多数個の小孔を有する多孔質のストレーナー本体と、
該ストレーナー本体の上面に配置されて前記小孔の上部開口を閉鎖した、溶湯から発せられる熱気により溶湯に接する前に容易に燃焼可能な易燃性素材により形成された薄膜状のカバー材と、を具備したことを特徴としている。
【考案の効果】
【００１３】
本考案の鋳造用異物除去ストレーナーでは、湯口から注湯された溶湯が通過可能な多数個の小孔を有する多孔質のストレーナー本体の上面にカバー材を配置するとともに、このカバー材を、湯口から注がれる溶湯から発せられる熱気により、溶湯に接する前に容易に燃焼可能な易燃性素材により形成している。
【００１４】
そのために、本考案の鋳造用異物除去ストレーナーを湯口の下方に配置した状態で湯口から溶湯を注ぐと、前記カバー材は、溶湯に接する前に、溶湯から発せられる熱によって燃え上がるとともに、そのとき、カバー材は、カバー材の上部に落下した砂、ノロ等の異物を巻き込んで燃えカスになり、その後、砂、ノロ等の異物を巻き込んだカバー材の燃えカスは、溶湯に対して比重が軽いために、溶湯がストレーナーの上方側に満たされていく過程で、溶湯の内部を上方に移動していき、やがて溶湯の上面に浮き上がる。そして、溶湯がストレーナーを通過して湯道に移動していくことで溶湯の上面が下がっていくと、それとともに燃えカスも下がっていき、溶湯が完全にストレーナーを通過した後に、燃えカスのみが小孔内に留まり、これにより、溶湯のみを湯道に導くことが可能となる。
【００１５】
従って、本考案の鋳造用異物除去ストレーナーによると、湯口に注ぎ込まれた溶湯がストレーナーを通過して湯口の底に至るに際して、砂、ノロ等の異物がストレーナーを通過してしまうことを確実に防止でき、従って、砂かみ、ノロかみ等を有効に防止することが可能である。
【図面の簡単な説明】
【００１６】
【図１】本考案の鋳造用異物除去ストレーナーの実施例の斜視図である。
【図２】本考案の鋳造用異物除去ストレーナーの実施例の構造を示す断面図である。
【図３】本考案の鋳造用異物除去ストレーナーの実施例の分解斜視図である。
【図４】本考案の鋳造用異物除去ストレーナーの実施例の作用を説明するための図であり、本考案の鋳造用異物除去ストレーナーを用いて鋳造を行う工程を示している。
【考案を実施するための形態】
【００１７】
本考案の鋳造用異物除去ストレーナーは、鋳物製品の鋳造に際して、溶湯を注ぎ込んで注湯する湯口の下方に配置されて、砂、ノロ等の異物が溶湯とともに湯道に入り込んで砂かみ、ノロかみが発生することを防止するための鋳造用異物除去ストレーナーであって、湯口に注ぎ込まれた溶湯が通過可能な多数個の小孔を有する多孔質のストレーナー本体を有しており、このストレーナー本体は、セラミック、金属、焼き物等の素材で構成されている。
【００１８】
そして、このストレーナー本体の上面にはストレーナー本体に形成した小孔の上部開口を閉鎖したカバー材が配置されており、このカバー材は、薄い紙や薄い布等の易燃性素材により形成されており、従って、湯口に注ぎ込まれた溶湯から発せられる熱気により、溶湯に接する前に容易に燃焼するものとしている。
【実施例１】
【００１９】
本考案の鋳造用異物除去ストレーナー（以下単に「ストレーナー」という。）の実施例について図面を参照して説明すると、図１は本実施例のストレーナーの外観を示す図であり、また、図２は本実施例のストレーナーの構造を示す断面図であり、更に、図３は本実施例のストレーナーの分解斜視図であり、図において１が本実施例のストレーナーである。
【００２０】
そして、本実施例のストレーナー１は、ストレーナー本体とカバー材とで構成されている。即ち、図において２がストレーナー本体であり、本実施例において前記ストレーナー本体２は、従来のストレーナーと同様に、一定の厚みを有するとともに、湯口に注ぎ込まれた溶湯が通過可能な多数個の小孔を有する多孔質な構成としており、従って、湯口に注湯されると、溶湯は前記小孔３を通過してストレーナー本体２の下方に流れていくことを可能としている。
【００２１】
なお、ストレーナー本体２の材質は特に限定されないが、ある程度剛性を有する素材である必要があり、セラミック製、金属製、焼き物製等が考えられる。また外形寸法は製造する鋳物の寸法や使用する溶湯の量等により任意であるが、溶湯を注ぎ込む湯口の下方において湯口を閉鎖することが可能な外形寸法である必要がある。
【００２２】
次に、図において４はカバー材である。即ち、本実施例のストレーナー１では、前記ストレーナー本体２の上面にカバー材３を備えており、このカバー材３によって、前記小孔３の上部の開口を閉鎖することとしている。従って、本実施例のストレーナー１を用いることにより、ストレーナー１の上に砂、ノロ等の異物１９が落下してきた場合でも、これらの異物１９をカバー材３で受け止めて、異物がストレーナー１の小孔３を通ってストレーナー１の下方に移動してしまうことを防止することができる。
【００２３】
そして、本実施例のストレーナーにおいて前記カバー材４は、薄い紙や薄い布等の易燃性の素材により形成しており、これによって、溶湯を湯口に注湯した際に、溶湯がストレーナー１を通過することの妨げになることを防止している。
【００２４】
このカバー材４の効果について説明すると、前述したように、本実施例において前記カバー材４は易燃性素材により形成しており、従って、湯口に溶湯が注がれた際には、溶湯がカバー材４に到達してカバー材４と接触する前に、カバー材４は、溶湯から発せられる熱気によって燃焼して燃えカスになってしまう。
【００２５】
そしてそのとき、カバー材４の上に砂、ノロ等の異物がある場合には、前記カバー材４は、これらの異物を巻き込みながら燃え上がり、異物と一体になった状態で燃えカスになる。
【００２６】
そうすると、その後に溶湯がストレーナーに到達して湯口内が溶湯で一杯になっていくに伴い、前記燃えカスは、溶湯に対して比重が軽いために、溶湯の内部で上方に移動していき、やがて溶湯の上面に浮き上がり、それにより、溶湯のみが、ストレーナーを通過して湯口の底に移動していくことになる。
【００２７】
そして、湯口内の溶湯が無くなっていくと、溶湯の減少とともに、溶湯の上面に浮いている前記燃えカスも、溶湯の上面の下降とともに湯口内で下方に移動していき、溶湯のすべてがストレーナーを通過した後には、前記燃えカスは、ストレーナー本体２の小孔３内に留まることになる。そのため、このカバー材４の存在により、砂、ノロ等の異物がストレーナーを通過してしまい砂かみ、ノロかみ等の原因になることを有効に防止することができる。
【００２８】
なお、本実施例においては、前記カバー材の素材として、薄い紙や薄い布等の場合を説明したが、必ずしも紙、布に限定されるものではなく、溶湯に接触する前に溶湯から発せられる熱気によって燃焼可能な易燃性の素材であれば、いずれの素材でも良い。また、カバー材４の配置方法は特に限定されず、本実施例では接着剤によってカバー材４をストレーナー本体２に接着しているが、特にこの方法には限定されない。また、接着する場合においては、カバー材４の全面に接着剤を塗布する必要は無く、カバー材４がはがれない程度にカバー材４の四隅を接着剤によってストレーナー本体２に接着させると良い。
【００２９】
次に、このように構成される本実施例のストレーナー１を用いて鋳物製品の鋳造を行う場合について、図４を参照して説明すると、図４は、本実施例のストレーナー１を配置した砂型の構造を示す断面図であり、図において１１が砂型で、１１ａが上型、１１ｂが下型である。
【００３０】
また、図において１２は湯口、１５は湯口の底であり、前記湯口１２は周知のように、溶湯を注ぎ込む受け口１３と、注湯された溶湯が通過していく縦湯道１４を具備している。
【００３１】
一方、図において１７は製品になる部分であり、前記湯口の底１６と製品部分１７は湯道１６により連結されており、受け口１３から注ぎ込まれた溶湯は、縦湯道１４、湯口の底１５、及び湯道１６を通った後に、堰２０を通過して製品部分１７に至る。なお、図において１８は押湯の部分であり、この押湯の部分１８は、溶湯が凝固時に収縮することで生じる鋳引けや収縮割れ防止するために用いるものであるが、必ずしも必要なものではなく、小さい製品や薄い製品を鋳造する場合には形成しなくても良い。
【００３２】
次に、図において１が本実施例のストレーナーであり、本実施例のストレーナー１は、縦湯道１４の下方部分における湯口の底１５の上部に、湯口の底１５の上部を塞ぐような形態で配置される。
【００３３】
そして、この構成において、図において矢印で示すように、受け口１３から溶湯が注がれて注湯されると、この溶湯は、湯口１２を通過して湯口の底１５に至った後に、湯道１６、押湯の部分１８、及び堰２０を介して製品の部分１７に至り、その後凝固することで鋳物製品が完成する。そしてその過程で、前述したように、前記カバー材４は、易燃性素材により形成されているため、受け口１３から湯口１２に注がれた溶湯がカバー材４に到達してカバー材４と接触する前に、溶湯から発せられる熱気によって燃焼して燃えカスになり、それとともに、カバー材４の上に砂、ノロ等の異物１９がある場合には、前記カバー材４は、これらの異物１９を巻き込みながら燃え上がって、異物と一体になった状態で燃えカスになる。
【００３４】
そしてその後に、溶湯がストレーナー１に到達するとともに、湯口１２内におけるストレーナー１の上方部分が溶湯で一杯になっていくと、前記燃えカスは、溶湯に対して比重が軽いために、溶湯の内部で上部に浮き上がっていき、やがて、ノロとなって溶湯の上面に浮くことになる。
【００３５】
そうすると、溶湯のみがストレーナー１を通過して湯口の底１５に移動していき、湯口１２内の溶湯が減っていくと、溶湯の上面が下がっていくとともに、前記燃えカスも、溶湯の上面の下降とともに湯口１２内で下方に移動していく。
【００３６】
そして、溶湯の上面がストレーナーを通過していく過程において、前記燃えカスは、溶湯の上面とともにストレーナー本体２内に入っていくが、ストレーナーを通過すること無く、小孔３内に留まり、これにより、砂、ノロ等の異物がストレーナーを通過してしまい砂かみ、ノロかみ等の原因になることを防止する。
【００３７】
このように、本実施例のストレーナーを用いることにより、砂、ノロ等の異物が溶湯とともに湯道に入ってしまい砂かみ、ノロかみが発生してしまい製品不良となってしまうことを有効に防止することが可能である。
【産業上の利用可能性】
【００３８】
本考案によれば、鋳物製品の鋳造に際して、砂、ノロ等の異物が溶湯とともに湯道に入り込んで砂かみ、ノロかみを防止するとともに溶湯を早く注湯することが可能であるため、鋳造に際して型内に配置されるストレーナーの全般に適用可能である。
【符号の説明】
【００３９】
１    鋳造用異物除去ストレーナー
２    ストレーナー本体
３    小孔
４    カバー材
１１    砂型
１２    湯口
１３    受け口
１４    縦湯道
１５    湯口の底
１６    湯道
１７    製品部分
１８    押湯部分
１９    砂、ノロ等の異物
２０    堰
【図１】
0003184414.tif 000003
【図２】
0003184414.tif 000004
【図３】
0003184414.tif 000005
【図４】
0003184414.tif 000006